(57)【要約】【課題】簡素な構成を有し、容易に組み立てることができ、しかも、種々の形態に容易に増設できる、飼育容器を提供すること。【解決手段】枠体ユニット１０を１個用いている。８個の連結ブロック２と１２本のフレーム３と６枚のパネル４とで構成されている。連結ブロック２は、上下方向、左右方向、及び前後方向の、６方向に向いた６個の連結部、を有し、フレーム３は、フレーム本体の両端に被連結部を有しており、フレーム３は、被連結部にて、連結ブロック２の連結部に連結されている。パネル４は、その周縁部が、枠体ユニット１０の、４個の連結ブロック２と４本のフレーム３とからなる周枠部の、連結ブロック２の溝及びフレーム３の溝に、嵌入されることにより、周枠部に保持されている。パネル４としては、開閉蓋を有する第１パネル４Ａ、自然物模型を有する第２パネル４Ｂ、及び透明な板体からなる第３パネル４Ｃ、の３種類が用いられている。【選択図】図１
2007319017.tif 000002
【特許請求の範囲】
【請求項１】
直方体状に構成された枠体ユニットを１個用いて構成された小生物用飼育容器であって、
枠体ユニットが、直方体の８個の頂点を構成するよう設けられた８個の連結ブロックと、直方体の１２個の辺を構成するよう設けられた１２本のフレームと、からなっており、
直方体の６個の面を構成するよう、枠体ユニットに６枚のパネルが設けられており、
連結ブロックは、上下方向、左右方向、及び前後方向の、６方向に向いた６個の連結部、を有し、また、パネルの周縁部が嵌入される溝を有しており、
フレームは、フレーム本体と、フレーム本体の両端の被連結部と、からなり、また、パネルの周縁部が嵌入される溝を有しており、
連結ブロックの連結部とフレームの被連結部とは、互いに連結されるよう構成されており、
連結ブロックの溝及びフレームの溝は、フレームの被連結部が連結ブロックの任意の１つの連結部に連結された状態において、フレームの長手方向全部と、被連結部が連結している連結部と、当該連結部に対して直交する方向に向いている４個の連結部のそれぞれと、を一直線に通る、４本の溝を構成するよう、設けられており、
フレームは、被連結部にて、連結ブロックの連結部に連結されており、
パネルは、その周縁部が、枠体ユニットの、４個の連結ブロックと４本のフレームとからなる周枠部の、連結ブロックの溝及びフレームの溝に、嵌入されることにより、周枠部に保持されており、
パネルとしては、開閉蓋を有する第１パネル、自然物模型を有する第２パネル、及び透明な板体からなる第３パネル、の３種類の内の、少なくとも第１パネル及び第２パネルが用いられていることを特徴とする飼育容器。
【請求項２】
直方体状に構成された枠体ユニットを、２個以上用いて且つ一部を共有しながら連結させて、構成された、小生物用飼育容器であって、
枠体ユニットが、直方体の８個の頂点を構成するよう設けられた８個の連結ブロックと、直方体の１２個の辺を構成するよう設けられた１２本のフレームと、からなっており、
直方体の面を構成して小生物用飼育容器を密閉するよう、枠体ユニットにパネルが設けられており、
連結ブロックは、上下方向、左右方向、及び前後方向の、６方向に向いた６個の連結部、を有し、また、パネルの周縁部が嵌入される溝を有しており、
フレームは、フレーム本体と、フレーム本体の両端の被連結部と、からなり、また、パネルの周縁部が嵌入される溝を有しており、
連結ブロックの連結部とフレームの被連結部とは、互いに連結されるよう構成されており、
連結ブロックの溝及びフレームの溝は、フレームの被連結部が連結ブロックの任意の１つの連結部に連結された状態において、フレームの長手方向全部と、被連結部が連結している連結部と、当該連結部に対して直交する方向に向いている４個の連結部のそれぞれと、を一直線に通る、４本の溝を構成するよう、設けられており、
フレームは、被連結部にて、連結ブロックの連結部に連結されており、
パネルは、その周縁部が、枠体ユニットの、４個の連結ブロックと４本のフレームとからなる周枠部の、連結ブロックの溝及びフレームの溝に、嵌入されることにより、周枠部に保持されており、
パネルとしては、開閉蓋を有する第１パネル、自然物模型を有する第２パネル、及び透明な板体からなる第３パネル、の３種類の内の、少なくとも第１パネル及び第２パネルが用いられていることを特徴とする飼育容器。
【請求項３】
枠体ユニットが、立方体状に構成されている、請求項１又は２に記載の飼育容器。
【請求項４】
連結関係にある２個の枠体ユニットからなる組を１組以上有しており、
各組の枠体ユニットが、それぞれ、連結部分において１個の周枠部を共有しており、
全ての組の共有された周枠部のいずれにもパネルが設けられていない、請求項２記載の飼育容器。
【請求項５】
連結関係にある２個の枠体ユニットからなる組を１組以上有しており、
各組の枠体ユニットが、それぞれ、連結部分において１個の周枠部を共有しており、
全ての組の共有された周枠部の内の少なくとも１個にパネルが設けられている、請求項２記載の飼育容器。
【請求項６】
連結関係にある２個の枠体ユニットからなる組を１組以上有しており、
少なくとも１組の枠体ユニットが、１本のフレームと２個の連結ブロックとからなる１本の辺枠部を共有している、請求項２記載の飼育容器。
【請求項７】
餌置き板が、パネルが設けられていない共有された周枠部において、両縁部を対向するフレームの溝に嵌入させて設けられている、請求項４又は５に記載の飼育容器。
【請求項８】
餌置き板が、透明容器に入った餌を容器ごと収容する餌用穴部を有しており、
餌用穴部が、その側壁に窓口を有している、請求項７記載の飼育容器。
【請求項９】
フレームが、長手方向中央部に大径部を有している、請求項１又は２に記載の飼育容器。
【請求項１０】
連結ブロックの連結部とフレームの被連結部とが、着脱可能に連結されている、請求項１又は２に記載の飼育容器。
【請求項１１】
第２パネルの自然物模型が、餌置き場を有している、請求項１又は２に記載の飼育容器。
【請求項１２】
直方体状に構成される枠体ユニットを１個用いて構成される小生物用飼育容器を、組み立てる、組立キットであって、
直方体の８個の頂点及び直方体の１２個の辺をそれぞれ構成して枠体ユニットを構成するための８個の連結ブロック及び１２本のフレームと、直方体の６個の面を構成するための６枚のパネルと、を備えており、
連結ブロックは、上下方向、左右方向、及び前後方向の、６方向に向いた６個の連結部、を有し、また、パネルを保持するためにパネルの周縁部が嵌入される溝を有しており、
フレームは、フレーム本体と、フレーム本体の両端の被連結部と、からなり、また、パネルを保持するためにパネルの周縁部が嵌入される溝を有しており、
連結ブロックの連結部とフレームの被連結部とは、互いに連結されるよう構成されており、
連結ブロックの溝及びフレームの溝は、フレームの被連結部が連結ブロックの任意の１つの連結部に連結された状態において、フレームの長手方向全部と、被連結部が連結している連結部と、当該連結部に対して直交する方向に向いている４個の連結部のそれぞれと、を一直線に通る、４本の溝を構成するよう、設けられており、
パネルとしては、開閉蓋を有する第１パネル、自然物模型を有する第２パネル、及び透明な板体からなる第３パネル、の３種類の内の、少なくとも第１パネル及び第２パネルを備えていることを特徴とする飼育容器組立キット。
【請求項１３】
直方体状に構成される枠体ユニットを、２個以上用いて且つ一部を共有しながら連結させて、構成される、小生物用飼育容器を、組み立てる、組立キットであって、
直方体の頂点及び直方体の辺をそれぞれ構成して枠体ユニットを構成するための連結ブロック及びフレームと、直方体の面を構成するためのパネルと、をそれぞれ、枠体ユニットの個数及び枠体ユニット同士の連結の状態に応じて、必要な数だけ備えており、
連結ブロックは、上下方向、左右方向、及び前後方向の、６方向に向いた６個の連結部、を有し、また、パネルを保持するためにパネルの周縁部が嵌入される溝を有しており、
フレームは、フレーム本体と、フレーム本体の両端の被連結部と、からなり、また、パネルを保持するためにパネルの周縁部が嵌入される溝を有しており、
連結ブロックの連結部とフレームの被連結部とは、互いに連結されるよう構成されており、
連結ブロックの溝及びフレームの溝は、フレームの被連結部が連結ブロックの任意の１つの連結部に連結された状態において、フレームの長手方向全部と、被連結部が連結している連結部と、当該連結部に対して直交する方向に向いている４個の連結部のそれぞれと、を一直線に通る、４本の溝を構成するよう、設けられており、
パネルとしては、開閉蓋を有する第１パネル、自然物模型を有する第２パネル、及び透明な板体からなる第３パネル、の３種類の内の、少なくとも第１パネル及び第２パネルを備えていることを特徴とする飼育容器組立キット。
【請求項１４】
枠体ユニットが、立方体状に構成されるものである、請求項１２又は１３に記載の飼育容器組立キット。
【請求項１５】
更に、餌置き板を備えており、
餌置き板は、その両縁部が、周枠部の対向するフレームの溝に嵌入されて周枠部に支持されるようになっている、請求項１３記載の飼育容器組立キット。
【請求項１６】
餌置き板が、透明容器に入った餌を容器ごと収容する餌用穴部を有しており、
餌用穴部が、その側壁に窓口を有している、請求項１５記載の飼育容器組立キット。
【請求項１７】
フレームが、長手方向中央部に大径部を有している、請求項１２又は１３に記載の飼育容器組立キット。
【請求項１８】
連結ブロックの連結部とフレームの被連結部とが、着脱可能に連結されるよう構成されている、請求項１２又は１３に記載の飼育容器組立キット。
【請求項１９】
第２パネルの自然物模型が、餌置き場を有している、請求項１２又は１３に記載の飼育容器組立キット。
【発明の詳細な説明】
【技術分野】
【０００１】
本発明は、昆虫や爬虫類等の小生物を中に入れて飼育するための飼育容器、及び、該飼育容器を組み立てるための組立キット、に関するものである。
【背景技術】
【０００２】
クワガタやカブトムシ等の昆虫を飼育するための、従来の飼育容器は、例えば特許文献１に示すような、横長の透明ケースを蓋で塞ぐタイプのものが一般的であった。そして、このような容器では、土が底に敷設され、その上に木が横にして置かれるのが、普通であった。また、餌であるゼリー等は、皿に載せて土の上に置かれたり、直接に土に埋め込まれたりしていた。
【特許文献１】特開平９−１１７２３６号公報
【発明の開示】
【発明が解決しようとする課題】
【０００３】
上記のような飼育容器では、次のような問題があった。
（１）複数個を積み重ねて使用すると、蓋を開けて餌を替えようとするたびに、上の飼育容器を降ろす必要があり、面倒である。
（２）木が横にして置かれているため、昆虫は、その習性である木登りをすることができず、その代わりに、ケースの側面を登ろうとして、もがく。そのため、次のような不具合が生じる。
（ａ）ケースの側面が滑るため、昆虫が、ひっくり返り、そのまま起きあがれず、死んでしまうことがある。
（ｂ）昆虫の脚に付着している土や餌によって、ケースの側面が汚れていき、次のような不具合が生じる。
（b-1）ケースの側面を洗浄する必要が生じ、面倒であり、また、昆虫にストレスを与える。
（b-2）ケースの側面の汚れを放置しておくと、昆虫や餌が見えなくなる。そのため、気が付くと、昆虫が死んでいる場合がある。或いは、昆虫を死なせないために、蓋を開けて中を確認することを何度も行う必要があり、そのため、昆虫にストレスを与え、それが原因で昆虫が死んでしまう場合がある。
（b-3）ケースを洗浄したり蓋を開けて中を確認したりすることが、次第に面倒となり、昆虫を死なせてしまうことがある。
【０００４】
（３）冬を越す場合に、オスも土に潜ったままの状態となるため、昼間でも昆虫を見ることができず、気が付くと、土の中で昆虫が死んでいる場合がある。
【０００５】
（４）餌が、皿に載せて土の上に置かれたり、直接に土に埋め込まれたりしているので、次のような不具合が生じる。
（ａ）餌が土によって汚れてしまい、昆虫が、餌を食べなくなり、死んでしまう場合がある。
（ｂ）餌が土によって汚れてしまうため、餌の残量を確認するのが困難となり、餌不足を生じさせて昆虫を死なせてしまう場合がある。
（ｃ）餌を交換する際に、手が汚れる。
（ｄ）昆虫が、皿に載せられた餌をひっくり返して、餌を土で汚してしまう場合がある。
【０００６】
なお、小さい爬虫類を飼育する場合も、上記と略同様の問題があった。
【０００７】
本発明は、上述したような種々の問題を解消でき、更に、簡素な構成を有し、容易に組み立てることができ、しかも、種々の形態に容易に増設できる、飼育容器を、提供すること、及び、そのような飼育容器を組み立てるための飼育容器組立キットを、提供すること、を目的としている。
【課題を解決するための手段】
【０００８】
請求項１記載の発明は、直方体状に構成された枠体ユニットを１個用いて構成された小生物用飼育容器であって、枠体ユニットが、直方体の８個の頂点を構成するよう設けられた８個の連結ブロックと、直方体の１２個の辺を構成するよう設けられた１２本のフレームと、からなっており、直方体の６個の面を構成するよう、枠体ユニットに６枚のパネルが設けられており、連結ブロックは、上下方向、左右方向、及び前後方向の、６方向に向いた６個の連結部、を有し、また、パネルの周縁部が嵌入される溝を有しており、フレームは、フレーム本体と、フレーム本体の両端の被連結部と、からなり、また、パネルの周縁部が嵌入される溝を有しており、連結ブロックの連結部とフレームの被連結部とは、互いに連結されるよう構成されており、連結ブロックの溝及びフレームの溝は、フレームの被連結部が連結ブロックの任意の１つの連結部に連結された状態において、フレームの長手方向全部と、被連結部が連結している連結部と、当該連結部に対して直交する方向に向いている４個の連結部のそれぞれと、を一直線に通る、４本の溝を構成するよう、設けられており、フレームは、被連結部にて、連結ブロックの連結部に連結されており、パネルは、その周縁部が、枠体ユニットの、４個の連結ブロックと４本のフレームとからなる周枠部の、連結ブロックの溝及びフレームの溝に、嵌入されることにより、周枠部に保持されており、パネルとしては、開閉蓋を有する第１パネル、自然物模型を有する第２パネル、及び透明な板体からなる第３パネル、の３種類の内の、少なくとも第１パネル及び第２パネルが用いられていることを特徴としている。
【０００９】
請求項２記載の発明は、直方体状に構成された枠体ユニットを、２個以上用いて且つ一部を共有しながら連結させて、構成された、小生物用飼育容器であって、枠体ユニットが、直方体の８個の頂点を構成するよう設けられた８個の連結ブロックと、直方体の１２個の辺を構成するよう設けられた１２本のフレームと、からなっており、直方体の面を構成して小生物用飼育容器を密閉するよう、枠体ユニットにパネルが設けられており、連結ブロックは、上下方向、左右方向、及び前後方向の、６方向に向いた６個の連結部、を有し、また、パネルの周縁部が嵌入される溝を有しており、フレームは、フレーム本体と、フレーム本体の両端の被連結部と、からなり、また、パネルの周縁部が嵌入される溝を有しており、連結ブロックの連結部とフレームの被連結部とは、互いに連結されるよう構成されており、連結ブロックの溝及びフレームの溝は、フレームの被連結部が連結ブロックの任意の１つの連結部に連結された状態において、フレームの長手方向全部と、被連結部が連結している連結部と、当該連結部に対して直交する方向に向いている４個の連結部のそれぞれと、を一直線に通る、４本の溝を構成するよう、設けられており、フレームは、被連結部にて、連結ブロックの連結部に連結されており、パネルは、その周縁部が、枠体ユニットの、４個の連結ブロックと４本のフレームとからなる周枠部の、連結ブロックの溝及びフレームの溝に、嵌入されることにより、周枠部に保持されており、パネルとしては、開閉蓋を有する第１パネル、自然物模型を有する第２パネル、及び透明な板体からなる第３パネル、の３種類の内の、少なくとも第１パネル及び第２パネルが用いられていることを特徴としている。
【００１０】
請求項３記載の発明は、請求項１又は２に記載の発明において、枠体ユニットが、立方体状に構成されているものである。
【００１１】
請求項４記載の発明は、請求項２記載の発明において、連結関係にある２個の枠体ユニットからなる組を１組以上有しており、各組の枠体ユニットが、それぞれ、連結部分において１個の周枠部を共有しており、全ての組の共有された周枠部のいずれにもパネルが設けられていないものである。
【００１２】
請求項５記載の発明は、請求項２記載の発明において、連結関係にある２個の枠体ユニットからなる組を１組以上有しており、各組の枠体ユニットが、それぞれ、連結部分において１個の周枠部を共有しており、全ての組の共有された周枠部の内の少なくとも１個にパネルが設けられているものである。
【００１３】
請求項６記載の発明は、請求項２記載の発明において、連結関係にある２個の枠体ユニットからなる組を１組以上有しており、少なくとも１組の枠体ユニットが、１本のフレームと２個の連結ブロックとからなる１本の辺枠部を共有しているものである。
【００１４】
請求項７記載の発明は、請求項４又は５に記載の発明において、餌置き板が、パネルが設けられていない共有された周枠部において、両縁を対向するフレームの溝に嵌入させて設けられているものである。
【００１５】
請求項８記載の発明は、請求項７記載の発明において、餌置き板が、透明容器に入った餌を容器ごと収容する餌用穴部を有しており、餌用穴部が、その側壁に窓口を有しているものである。
【００１６】
請求項９記載の発明は、請求項１又は２に記載の発明において、フレームが、長手方向中央部に大径部を有しているものである。
【００１７】
請求項１０記載の発明は、請求項１又は２に記載の発明において、連結ブロックの連結部とフレームの被連結部とが、着脱可能に連結されているものである。
【００１８】
請求項１１記載の発明は、請求項１又は２に記載の発明において、第２パネルの自然物模型が、餌置き場を有しているものである。
【００１９】
請求項１２記載の発明は、直方体状に構成される枠体ユニットを１個用いて構成される小生物用飼育容器を、組み立てる、組立キットであって、直方体の８個の頂点及び直方体の１２個の辺をそれぞれ構成して枠体ユニットを構成するための８個の連結ブロック及び１２本のフレームと、直方体の６個の面を構成するための６枚のパネルと、を備えており、連結ブロックは、上下方向、左右方向、及び前後方向の、６方向に向いた６個の連結部、を有し、また、パネルを保持するためにパネルの周縁部が嵌入される溝を有しており、フレームは、フレーム本体と、フレーム本体の両端の被連結部と、からなり、また、パネルを保持するためにパネルの周縁部が嵌入される溝を有しており、連結ブロックの連結部とフレームの被連結部とは、互いに連結されるよう構成されており、連結ブロックの溝及びフレームの溝は、フレームの被連結部が連結ブロックの任意の１つの連結部に連結された状態において、フレームの長手方向全部と、被連結部が連結している連結部と、当該連結部に対して直交する方向に向いている４個の連結部のそれぞれと、を一直線に通る、４本の溝を構成するよう、設けられており、パネルとしては、開閉蓋を有する第１パネル、自然物模型を有する第２パネル、及び透明な板体からなる第３パネル、の３種類の内の、少なくとも第１パネル及び第２パネルを備えていることを特徴としている。
【００２０】
請求項１３記載の発明は、直方体状に構成される枠体ユニットを、２個以上用いて且つ一部を共有しながら連結させて、構成される、小生物用飼育容器を、組み立てる、組立キットであって、直方体の頂点及び直方体の辺をそれぞれ構成して枠体ユニットを構成するための連結ブロック及びフレームと、直方体の面を構成するためのパネルと、をそれぞれ、枠体ユニットの個数及び枠体ユニット同士の連結の状態に応じて、必要な数だけ備えており、連結ブロックは、上下方向、左右方向、及び前後方向の、６方向に向いた６個の連結部、を有し、また、パネルを保持するためにパネルの周縁部が嵌入される溝を有しており、フレームは、フレーム本体と、フレーム本体の両端の被連結部と、からなり、また、パネルを保持するためにパネルの周縁部が嵌入される溝を有しており、連結ブロックの連結部とフレームの被連結部とは、互いに連結されるよう構成されており、連結ブロックの溝及びフレームの溝は、フレームの被連結部が連結ブロックの任意の１つの連結部に連結された状態において、フレームの長手方向全部と、被連結部が連結している連結部と、当該連結部に対して直交する方向に向いている４個の連結部のそれぞれと、を一直線に通る、４本の溝を構成するよう、設けられており、パネルとしては、開閉蓋を有する第１パネル、自然物模型を有する第２パネル、及び透明な板体からなる第３パネル、の３種類の内の、少なくとも第１パネル及び第２パネルを備えていることを特徴としている。
【００２１】
請求項１４記載の発明は、請求項１２又は１３に記載の発明において、枠体ユニットが、立方体状に構成されるものである。
【００２２】
請求項１５記載の発明は、請求項１３記載の発明において、更に、餌置き板を備えており、餌置き板は、その両縁が、周枠部の対向するフレームの溝に嵌入されて周枠部に支持されるようになっているものである。
【００２３】
請求項１６記載の発明は、請求項１５記載の発明において、餌置き板が、透明容器に入った餌を容器ごと収容する餌用穴部を有しており、餌用穴部が、その側壁に窓口を有しているものである。
【００２４】
請求項１７記載の発明は、請求項１２又は１３に記載の発明において、フレームが、長手方向中央部に大径部を有しているものである。
【００２５】
請求項１８記載の発明は、請求項１２又は１３に記載の発明において、連結ブロックの連結部とフレームの被連結部とが、着脱可能に連結されるよう構成されているものである。
【００２６】
請求項１９記載の発明は、請求項１２又は１３に記載の発明において、第２パネルの自然物模型が、餌置き場を有しているものである。
【発明の効果】
【００２７】
請求項１記載の発明によれば、連結ブロックとフレームとパネルとを組み立てて構成されているので、簡素な構成を実現できる。
【００２８】
また、開閉蓋を有する第１パネルを、飼育容器の上面又は側面の内の任意の面に設けることができるので、飼育者の使い勝手に合わせることができる。
【００２９】
また、自然物模型を有する第２パネルを備えているので、小生物に、自然に近い活動を行わせることができる。
【００３０】
更に、連結ブロックは、フレームとの連結に使用されていない連結部を有しているので、これらの連結部にフレームを更に連結させて、枠体ユニットを更に増設して、飼育容器を拡張することができる。
【００３１】
請求項２記載の発明によれば、請求項１記載の発明と同様の効果を発揮できる。
【００３２】
しかも、２個以上の飼育空間、又は、請求項１の飼育容器の２個分以上に広い飼育空間を、実現できる。
【００３３】
請求項３記載の発明によれば、同じ寸法のフレーム及び同じ寸法のパネルを用いることができるので、組み立てに用いる部材の無駄を省くことができる。
【００３４】
請求項４記載の発明によれば、２個以上の枠体ユニットのそれぞれが構成する飼育空間が全て連通することとなるので、広い飼育空間を実現できる。
【００３５】
請求項５記載の発明によれば、２個以上の枠体ユニットのそれぞれが構成する飼育空間が適当に仕切られることとなるので、小生物の棲み分けを図ることができる。
【００３６】
請求項６記載の発明によれば、縦又は横に並ぶ２個の枠体ユニットから構成された２個の飼育容器の間に、何もない空間を確保できるので、デザイン性を向上できる。
【００３７】
請求項７記載の発明によれば、飼育空間の高さ方向の途中位置に餌を配置できる。したがって、餌が土で汚れるのを防止できる。また、小生物を、途中位置を中心にして、縦長の範囲で活動させることができる。
【００３８】
請求項８記載の発明によれば、餌の残量を窓口から確認することができる。したがって、餌不足が生じるのを防止できる。
【００３９】
請求項９記載の発明によれば、フレームの強度を向上できるので、枠体ユニットの剛性を向上できる。したがって、飼育容器の剛性を向上できる。また、多数の枠体ユニットを連結させて、安定した大きな飼育容器を構成できる。
【００４０】
請求項１０記載の発明によれば、連結ブロックとフレームとの連結を解くことができ、また、パネルを連結ブロック及びフレームの溝から取り外すことができるので、飼育容器の分解及びメンテナンスを容易に行うことができる。また、飼育容器が、分解可能であるので、保管及び運搬が容易である。
【００４１】
請求項１１記載の発明によれば、餌置き部材を別に用意する必要がないので、飼育空間内がシンプルになる。また、餌置き場を空中に位置させることができるので、餌を、空中に設置でき、したがって、餌が土で汚れるのを防止できる。
【００４２】
請求項１２記載の発明によれば、請求項１記載の飼育容器を簡単に得ることができる。すなわち、連結ブロックを直方体の頂点に配置するとともにフレームを連結ブロックに連結させ、また、パネルを連結ブロックの溝及びフレームの溝に差し込むだけで、飼育容器を組み立てることができるので、飼育容器を容易に組み立てて得ることができる。
【００４３】
請求項１３記載の発明によれば、請求項２記載の飼育容器を簡単に得ることができる。すなわち、２個以上の枠体ユニットと多数枚のパネルとからなる飼育容器を簡単に組み立てて得ることができる。
【００４４】
請求項１４記載の発明によれば、フレームとして同じ寸法のものを用意し、パネルとしても同じ寸法のものを用意すればよいので、組立キットの部材の用意が簡単である。
【００４５】
請求項１５記載の発明によれば、少なくとも２個の飼育空間の中間に、餌置き場を設けることができる。
【００４６】
請求項１６記載の発明によれば、餌不足を監視できる餌置き場を設けることができる。
【００４７】
請求項１７記載の発明によれば、フレームの強度を向上できる。しかも、フレームを手で掴んで組み立てる際に、大径部が、滑り止めとしても機能する。したがって、飼育容器の組み立てを確実に行うことができる。
【００４８】
請求項１８記載の発明によれば、連結ブロックとフレームとを容易に分解できる。したがって、枠体ユニットを種々の配置で容易に増設できる。
【００４９】
請求項１９記載の発明によれば、餌置き部材を不要にでき、その分だけ部材数を少なくできる。
【発明を実施するための最良の形態】
【００５０】
（第１実施形態）
図１は、本発明の第１実施形態の飼育容器１Ａの上方斜視透視図である。この飼育容器１Ａは、１個の、直方体状に構成された枠体ユニット１０を用いて、構成されている。ここでは、枠体ユニット１０は立方体状に構成されている。図２は、枠体ユニット１０を示す上方斜視略図である。１個の枠体ユニット１０は、８個の連結ブロック２と１２本のフレーム３とからなっている。連結ブロック２は、立方体の８個の頂点をそれぞれ構成するよう設けられている。フレーム３は、立方体の１２個の辺をそれぞれ構成するよう設けられている。そして、本実施形態の飼育容器１Ａは、枠体ユニット１０に６枚のパネル４を設けて構成されている。パネル４は、立方体の６面全てをそれぞれ構成するよう設けられている。
【００５１】
連結ブロック２は、図３に示すように、上下方向、左右方向、及び前後方向の、６方向に向いた６個の連結部２１を有している。各連結部２１は、上記の各方向に突出した各突部２１１に、それぞれ、４個の穴２１２を形成して、構成されている。４個の穴２１２は、突部２１１の突出方向に対して平行に、且つ、突部２１１の突出方向の端面２１３に、形成されている。４個の穴２１２は、突出方向から見た場合において、正方形の各頂点に位置する関係で設けられている。各突部２１１において、隣接する穴２１２の間には、突出方向に延びた溝２２が形成されている。溝２２は、隣接する突部２１１の溝２２と繋がっている。
【００５２】
フレーム３は、図４に示すように、フレーム本体３１と、フレーム本体３１の両端の被連結部３２と、からなっている。フレーム本体３１は、断面正方形の柱体である。被連結部３２は、フレーム本体３１の端面３２０に形成された４個の突起３２１からなっている。４個の突起３２１は、端面３２０において正方形の各頂点に位置する関係で設けられている。被連結部３２において、隣接する突起３２１の間には、溝３３が形成されている。溝３３は、一方の端面３２０から他方の端面３２０へ、フレーム本体３１の長手方向の全部に渡って延びている。したがって、フレーム本体３１は、柱体の各側面の中央に長手方向の溝３３を有している。更に、フレーム本体３１は、長手方向の中央部に大径部３４を有している。大径部３４は、フレーム本体３１の柱体の各側面が張り出して構成されている。
【００５３】
図５は、被連結部３２及び連結部２１の平面断面部分図である。突起３２１は、先端部３２１１が膨らんでいる。穴２１２は、先端部３２１１が嵌り込む奥部２１２１を有しており、奥部２１２１の手前の中間部２１２２が狭まっている。これにより、突起３２１は、穴２１２に、着脱可能に嵌合されるようになっている。すなわち、被連結部３２と連結部２１とは、着脱可能に連結されるよう構成されている。なお、４個の突起３２１は、連結ブロック２の連結部２１の４個の穴２１２に一体的に嵌合するようになっている。
【００５４】
パネル４としては、開閉蓋を有する第１パネル４Ａ（図６）と、自然物模型を有する第２パネル４Ｂ（図７）と、透明な板体からなる第３パネル４Ｃ（図８）と、の３種類が用いられている。本実施形態の飼育容器１Ａでは、１枚の第１パネル４Ａと、１枚の第２パネル４Ｂと、４枚の第３パネル４Ｃと、が用いられている。
【００５５】
図６に示すように、第１パネル４Ａは、開口４１１を有する透明な板体４１と、透明な開閉蓋４２と、からなっている。開閉蓋４２は、下端部の両側の水平支持軸４２１によって板体４１に支持されており、水平支持軸４２１回りに回動することによって開口４１１を塞いだり開放したりするようになっている。また、開閉蓋４２には、多数の小さな貫通孔である通気孔４２２が形成されている。板体４１の開口４１１の上方には、留め部４１２が設けられている。留め部４１２は、開口４１１を塞いだ状態の開閉蓋４２の上縁部に引っ掛かる状態と引っ掛からない状態との間で回動するよう、設けられている。
【００５６】
図７に示すように、第２パネル４Ｂは、透明な板体４３と、自然物模型４４と、からなっている。自然物模型４４は、板体４３の一面に固定されている。自然物模型４４は、飼育する小生物が活動拠点とする自然物に模して形成されている。ここでは、自然物模型４４は、木の表面に模して形成されており、長く突き出た枝部４４１と葉４４２とを有している。枝部４４１には、餌置き場４４３となる孔が形成されている。
【００５７】
図８に示すように、第３パネル４Ｃは、透明な板体４５からなっている。
【００５８】
連結ブロック２の溝２２及びフレーム３の溝３３は、パネル４を保持するためにパネル４の周縁部が嵌入されるものである。連結ブロック２の溝２２及びフレーム３の溝３３は、図９に示すように、フレーム３の被連結部３２を連結ブロック２の任意の１つの連結部２１に連結した状態において、フレーム３の長手方向全部と、被連結部３２が連結している連結部２１と、当該連結部２１に対して直交する方向に向いている４個の連結部２１のそれぞれと、を一直線に通る、４本の溝５０を構成している。なお、図９では、２本の溝５０が見えている。そして、パネル４は、図９に示すように、周縁部４０が周枠部１００の溝５０に嵌入されて、周枠部１００に保持される。
【００５９】
上記構成の飼育容器１Ａは、１個の枠体ユニット１０と６枚のパネル４とからなる組立キットから、組み立てられる。１個の枠体ユニット１０は、８個の連結ブロック２と１２本のフレーム３とからなっている。６枚のパネル４は、１枚の第１パネル４Ａと、１枚の第２パネル４Ｂと、４枚の第３パネル４Ｃと、である。組み立ては、例えば、簡略図である図１０〜図１３に示すように行う。
【００６０】
まず、図１０に示すように、３本のフレーム３を、連結ブロック２を介して連結させて、構成体Ｃ１を組み立てる。次に、構成体Ｃ１のフレーム３の無い箇所から、第３パネル４Ｃを、フレーム３の溝３３（図示せず）に沿わせながら、構成体Ｃ１に差し込む。そして、両端に連結ブロック２が連結されたフレーム３を、構成体Ｃ１に連結させて、飼育容器１Ａの下面体１０１（図１１）を組み立てる。
【００６１】
次に、図１１に示すように、下面体１０１の４個の連結ブロック２に、４本のフレーム３をそれぞれ立てて連結させて、構成体Ｃ２（図１２）を組み立てる。
【００６２】
次に、図１２に示すように、構成体Ｃ２に対して、１枚の第１パネル４Ａと、１枚の第２パネル４Ｂと、２枚の第３パネル４Ｃと、をそれぞれ、フレーム３の溝３３（図示せず）に沿わせながら、隣接するフレーム３の間に差し込み、構成体Ｃ３（図１３）を組み立てる。
【００６３】
そして、図１３に示すように、構成体Ｃ３に対して、飼育容器１Ａの上面体１０２（図１４）を組み立てる。すなわち、構成体Ｃ３に対して、構成体Ｃ１と同じ構成体Ｃ４を上方から連結させ、次に、第３パネル４Ｃを、フレーム３の溝３３（図示せず）に沿わせながら、構成体Ｃ４に差し込み、そして、両端に連結ブロック２が連結されたフレーム３を、構成体Ｃ４に、連結させる。
【００６４】
こうして、上記組立キットから、図１４に示す上記構成の飼育容器１Ａが組み立てられる。図１５は、組み立てられた飼育容器１Ａを更に簡略化して且つパネルを主体として示している。
【００６５】
なお、組み立てられた飼育容器１Ａにおいては、図１に示すように、餌であるゼリーが詰まった容器９１を、第２パネル４Ｂの枝部４４１の餌置き場となる孔４４３に、設置し、飼育容器１Ａ内に、小生物、例えばクワガタ９２を放す。
【００６６】
上記構成の飼育容器１Ａによれば、次のような効果を発揮できる。
（１）飼育容器１Ａは、連結ブロック２とフレーム３とパネル４とを組み立てて構成されているので、簡素な構成を有している。
（２）飼育容器１Ａにおいては、連結ブロック２とフレーム３との連結が着脱可能であり、また、パネル４が連結ブロック２及びフレーム３の溝２２、３３（溝５０）から取り外し可能である。したがって、飼育容器１Ａの分解及びメンテナンスを容易に行うことができる。
【００６７】
（３）飼育容器１Ａは、分解可能であるので、保管及び運搬が容易である。
（４）飼育容器１Ａにおいては、開閉蓋４２を有する第１パネル４Ａを、飼育容器１Ａの上面又は側面の内の任意の面に設けることができるので、飼育者の使い勝手に合わせることができる。
（５）飼育容器１Ａは、自然物模型４４を有する第２パネル４Ｂを備えているので、小生物に、自然に近い活動を行わせることができる。
【００６８】
（６）飼育容器１Ａは、自然物模型４４が餌置き場４４３を有しているので、餌置き場４４３に、餌をセットできる。すなわち、餌を、空中に設置できるので、餌が土で汚れるのを防止できる。
（７）開閉蓋４２に多数の通気孔４２２が形成されているので、第１パネル４Ａから、飼育空間の換気を行うことができる。
【００６９】
（８）フレーム３が大径部３４を有しているので、フレーム３の強度を向上できる。したがって、飼育容器１Ａの剛性を向上できる。
（９）連結ブロック２は、６方向の内の３方向の連結部２１がフレーム３の被連結部３２との連結に使用され、連結に使用されていない連結部２１を３個有している。すなわち、連結ブロック２は、フレーム３との連結に使用されていない連結部２１を有している。したがって、これらの連結部２１に更にフレーム３を連結させて、枠体ユニット１を更に増設して、飼育容器を拡張することができる。具体的には、図１４において矢印で示すように、連結ブロック２に対してフレーム３を連結できる。
【００７０】
また、上記組立キットによれば、次のような効果を発揮できる。
（１）上記効果を発揮できる飼育容器１Ａを得ることができる。
（２）連結ブロック２を立方体の頂点に配置するとともにフレーム３を連結ブロック２に連結させ、また、パネル４を連結ブロック２及びフレーム３の溝２２、３３に差し込むだけで、飼育容器１Ａを組み立てることができる。したがって、飼育容器１Ａを容易に組み立てて得ることができる。
【００７１】
（３）フレーム３が大径部３４を有しているので、フレーム３の強度を向上できる。しかも、フレーム３を手で掴んで組み立てる際に、大径部３４は、滑り止めとしても機能する。したがって、飼育容器１Ａの組み立てを確実に行うことができる。
【００７２】
なお、６枚のパネル４としては、第３パネル４Ｃを用いないで、第１パネル４Ａ及び第２パネル４Ｂのみを用いてもよい。また、第１パネル４Ａは、図６の構成を９０度又は１８０度回転させた構成を有するものでもよい。
【００７３】
（第２実施形態）
図１６及び図１７は、本発明の第２実施形態の飼育容器１Ｂを示す上方斜視図であり、図１６は図１７を更に簡略化して且つパネルを主体として示している。この飼育容器１Ｂは、第１実施形態の飼育容器１Ａを縦に２個積み重ねた形態を有している。
【００７４】
飼育容器１Ｂは、図１７に示すように、枠体ユニット１０を、２個用いて且つ１個の周枠部１００を共有しながら連結させて、構成されている。したがって、飼育容器１Ｂにおいて用いられる連結ブロック２及びフレーム３の数は、枠体ユニット１０を単純に２倍した場合よりは１個の周枠部１００の分だけ少ない。また、飼育容器１Ｂにおいては、共有した周枠部１００における１枚のパネル４（第３パネル４Ｃ）も共有している。したがって、飼育容器１Ｂにおいて用いられるパネル４の数は、飼育容器１Ａを単純に２倍した場合よりは１枚少ない。
【００７５】
したがって、飼育容器１Ｂは、２個の枠体ユニット１０を構成するための１２個の連結ブロック２及び２０本のフレーム３と、１１枚のパネル４と、からなる組立キットから、組み立てられる。１１枚のパネル４は、２枚の第１パネル４Ａと、２枚の第２パネル４Ｂと、７枚の第３パネル４Ｃと、である。組み立ては、例えば、簡略図である図１８に示すように行う。
【００７６】
すなわち、第１実施形態の飼育容器１Ａの上面体１０２を下面体に見立てて、当該上面体１０２の上に、第１実施形態の場合と同様にして、当該上面体１０２を下面体として含む飼育容器１Ａを組み立てる。すなわち、まず、上面体１０２に、４本のフレーム３をそれぞれ立てて連結させ、次に、１枚の第１パネル４Ａと、１枚の第２パネル４Ｂと、２枚の第３パネル４Ｃと、をそれぞれ、フレーム３の溝３３（図示せず）に沿わせながら、隣接するフレーム３の間に差し込み、その後、上面体１０２を構成する。
【００７７】
こうして、上記組立キットから、図１７に示す飼育容器１Ｂが組み立てられる。
【００７８】
上記構成の飼育容器１Ｂでは、上の枠体ユニット１０が、下の枠体ユニット１０の上部の周枠部１００を、下の枠体ユニット１０と共有している。また、上の飼育容器１Ａが、下の飼育容器１Ａの上面の第３パネル４Ｃを、下の飼育容器１Ａと共有している。したがって、本実施形態の組立キットの部材数は、第１実施形態の飼育容器１Ａの部材数を単純に２倍した場合よりは、連結ブロック２が４個、フレーム３が４本、パネル４が１枚、少ない。
【００７９】
上記構成の飼育容器１Ｂでは、上の飼育容器１Ａの飼育空間と下の飼育容器１Ａの飼育空間とが、共有されている第３パネル４Ｃによって、仕切られている。したがって、飼育容器１Ｂは、上下に２つの飼育空間を備えている。よって、飼育容器１Ｂにおいては、２つの飼育空間において異なる小生物を飼育できる。
【００８０】
上記構成の飼育容器１Ｂによれば、更に、次のような効果を発揮できる。
（１）第１実施形態と同様の効果を発揮できる。
（２）２つの飼育空間を簡素な構成で有することができる。
（３）上下の飼育容器１Ａが一部を共有しているので、その分だけ少ない部材数で、２つの飼育空間を有することができる。
【００８１】
上記組立キットによれば、次のような効果を発揮できる。
（１）第１実施形態と同様の効果を発揮できる。
（２）部材の一部が上下の飼育容器１Ａで共有されるので、その分だけ部材数を少なくできる。
【００８２】
（第３実施形態）
本実施形態の飼育容器は、第２実施形態と同様に、第１実施形態の飼育容器１Ａを縦に２個積み重ねた形態を有しているが、上の飼育容器１Ａと下の飼育容器１Ａとの間に第３パネル４Ｃを備えていない。すなわち、共有される周枠部１００が、第３パネル４Ｃを備えていない。
【００８３】
したがって、本実施形態の飼育容器は、飼育容器１Ａの２個分の高さを有する縦長の１つの飼育空間を有することができる。したがって、飼育空間を縦長に使用でき、小生物の活動を広範囲で活発なものにできる。
【００８４】
また、本実施形態の飼育容器によれば、第２実施形態と同様の効果を発揮できる。
【００８５】
（第４実施形態）
本実施形態の飼育容器１Ｃは、図１９に示すように、第３実施形態の飼育容器において共有される周枠部１００が餌置き板５を備えている。
【００８６】
餌置き板５は、図２０に示すように、細長い板体であり、フレーム３の溝３３（図示せず）に嵌入される縁部５１を長手方向両端に有し、自然物模型５２を長手方向の略２／３を占めるよう有し、餌用穴部５３を長手方向の略１／３を占めるよう有している。
【００８７】
餌置き板５は、両縁部５１を、共有される周枠部１００の対向するフレーム３の溝３３（図示せず）に嵌入することによって、周枠部１００、ひいては飼育容器１Ｃに、保持されている。
【００８８】
餌用穴部５３は、透明な容器９１に入っている餌を容器９１ごと収容するようになっている。餌用穴部５３の側壁５３１には、窓口５３１１が形成されている。これにより、本実施形態の飼育容器１Ｃによれば、餌の残量を窓口５３１１から確認することができる。したがって、餌不足が生じるのを防止できる。
【００８９】
本実施形態の飼育容器１Ｃによれば、飼育空間の中間の高さ位置に餌を配置できる。したがって、餌が土で汚れてしまうのを防止できる。また、小生物を、中間の高さ位置を中心にして、縦長の範囲で活動させることができる。
【００９０】
また、本実施形態の飼育容器１Ｃによれば、第３実施形態と同様の効果を発揮できる。
【００９１】
なお、本実施形態では、餌置き板５を用いているので、第２パネル４Ｂとしては、餌置き場の無い自然物模型４４を有する第２パネル４Ｂ、例えば図２１の第２パネル４Ｂを用いてもよい。
【００９２】
（第５実施形態）
図２２は、本発明の第５実施形態の飼育容器１Ｄを示す上方斜視図である。この飼育容器１Ｄは、第１実施形態の飼育容器１Ａを縦及び横にそれぞれ２個ずつ重ねた形態を有している。すなわち、飼育容器１Ｄは、枠体ユニット１０を４個用いて且つ一部を共有させながら連結させて、構成されている。
【００９３】
この飼育容器１Ｄは、飼育容器１Ｂ、１Ｃと同様の連結関係にある２個の枠体ユニット１０からなる組を、４個有している。すなわち、組８１、８２、８３、８４である。そして、組８１の連結部分で共有されている周枠部１００には、パネル４が設けられており、組８２の連結部分で共有されている周枠部１００には、斜線で示すようにパネル４が設けられておらず、組８３の連結部分で共有されている周枠部１００には、パネル４が設けられており、組８４の連結部分で共有されている周枠部１００には、斜線で示すようにパネル４が設けられていない。
【００９４】
飼育容器１Ｄによれば、飼育容器１Ａの２個分の幅を有する横長の飼育空間を、上下２段に有することができる。更に、飼育容器１Ｄによれば、第１〜第４実施形態と同様の効果を発揮できる。
【００９５】
なお、組８１、８３においても、連結部分で共有されている周枠部１００に、パネル４を設けないこととしてもよい。これによれば、飼育容器１Ｄは、飼育容器１Ａの２個分の幅及び２個分の高さを有する縦長且つ横長の飼育空間を有することができる。
【００９６】
（第６実施形態）
図２３は、本発明の第６実施形態の飼育容器１Ｅを示す上方斜視図である。この飼育容器１Ｅは、第１実施形態の飼育容器１Ａを３個備えた形態を有している。飼育容器１Ｅは、枠体ユニット１０を３個用いて且つ一部を共有させながら連結させて、構成されている。
【００９７】
この飼育容器１Ｅは、連結関係にある２個の枠体ユニット１０からなる組を、２個有している。すなわち、組８５、８６である。そして、組８５において、下の飼育容器１Ａを構成する枠体ユニット１０と上の飼育容器１Ａを構成する枠体ユニット１０とは、２個の連結ブロック２及び１本のフレーム３からなる１本の辺枠部２００を共有している。組８６も同様である。
【００９８】
飼育容器１Ｅによれば、縦又は横に並ぶ２個の飼育容器１Ａの間に、何もない空間８０を確保できるので、飼育容器全体のデザイン性を向上できる。
【００９９】
（別の実施形態）
（１）本発明の飼育容器においては、多数個の飼育容器１Ａを、一部を共有している限りは、どのように配置してもよい。例えば、図２４〜図２６に示すように配置して連結させて構成してもよい。
（ｉ）図２４の飼育容器１Ｆでは、４個の飼育容器１Ａが平面視四角形となるよう横に連結されている。
（ii）図２５の飼育容器１Ｇでは、１０個の飼育容器１Ａが塔に類似した形態を構成するよう連結されている。
（iii）図２６の飼育容器１Ｈでは、１６個の飼育容器１Ａが階段ピラミッドに類似した形態を構成するよう連結されている。
【０１００】
（２）本発明の飼育容器が複数個の飼育容器１Ａからなる場合であって、各飼育容器１Ａにおいては、第１パネル４Ａは、任意の側面又は上面に設けてもよく、第２パネル４Ｂは、任意の側面、上面、又は下面に設けてもよい。
【０１０１】
（３）第２パネル４Ｂの自然物模型４４は、本物で構成してもよい。
【０１０２】
（４）第１〜第６実施形態では、飼育容器１Ａを構成する枠体ユニット１０が立方体状であるが、枠体ユニット１０は、直方体状であってもよい。その場合は、フレーム３として、長さが異なる２種類のフレームを用い、また、パネル４として、直方体の各面に対応する形態のものを用いる。
【０１０３】
（５）本発明の飼育容器キットは、本発明の飼育容器を組み立てることができる限りは、任意の数の、連結ブロック２とフレーム３とパネル４とを、備えていればよい。すなわち、本発明の飼育容器キットは、飼育容器が１個の飼育容器１Ａからなる場合においては、８個の連結ブロック２と１２本のフレーム３と６枚のパネル４とを備えており、飼育容器が複数個の飼育容器１Ａからなる場合においては、飼育容器１Ａの個数及び飼育容器１Ａ同士の連結の状態に応じて、連結ブロック２とフレーム３とパネル４とを必要な数だけ備えている。
【産業上の利用可能性】
【０１０４】
本発明の飼育容器は、簡素な構成を有し、容易に組み立てることができ、しかも、種々の形態に容易に増設できるものであるので、産業上の利用価値が大である。
【図面の簡単な説明】
【０１０５】
【図１】第１実施形態の飼育容器の上方斜視透視図である。
【図２】枠体ユニットを示す上方斜視略図である。
【図３】連結ブロックの上方斜視図である。
【図４】フレームの上方斜視図である。
【図５】被連結部及び連結部の平面断面部分図である。
【図６】第１パネルの正面図である。
【図７】第２パネルの正面図である。
【図８】第３パネルの正面図である。
【図９】連結ブロックとフレームとの連結状態を示す上方斜視図である。
【図１０】第１実施形態の飼育容器の組立作業の工程を示す上方斜視図である。
【図１１】図１０に続く工程を示す上方斜視図である。
【図１２】図１１に続く工程を示す上方斜視図である。
【図１３】図１２に続く工程を示す上方斜視図である。
【図１４】第１実施形態の飼育容器を枠体ユニットを主体として示す上方斜視図である。
【図１５】第１実施形態の飼育容器をパネルを主体として示す上方斜視図である。
【図１６】第２実施形態の飼育容器をパネルを主体として示す上方斜視図である。
【図１７】第２実施形態の飼育容器を枠体ユニットを主体として示す上方斜視図である。
【図１８】第２実施形態の飼育容器の組立作業の工程を示す上方斜視図である。
【図１９】第４実施形態の飼育容器の上方斜視透視図である。
【図２０】餌置き板の上方斜視図である。
【図２１】第２パネルの別の例を示す正面図である。
【図２２】第５実施形態の飼育容器の上方斜視簡略図である。
【図２３】第６実施形態の飼育容器の上方斜視簡略図である。
【図２４】別の実施形態の飼育容器の第１例を示す上方斜視簡略図である。
【図２５】別の実施形態の飼育容器の第２例を示す上方斜視簡略図である。
【図２６】別の実施形態の飼育容器の第３例を示す上方斜視簡略図である。
【符号の説明】
【０１０６】
１Ａ〜１Ｈ  飼育容器  １０  枠体ユニット  ２  連結ブロック  ２１  連結部  ２２  溝  ３  フレーム  ３１  フレーム本体  ３２  被連結部  ３３  溝  ３４  大径部  ４  パネル  ４Ａ  第１パネル  ４Ｂ  第２パネル  ４Ｃ  第３パネル  ４０  周縁部  ４４  自然物模型  ４４３  餌置き場  ５  餌置き板  ５０  溝  ５１  縁部  ５３  餌用穴部  ５３１  側壁  ５３１１  窓口  ８１〜８６  組  ９１  容器  １００  周枠部  ２００  辺枠部
【図１】
2007319017.tif 000003
【図２】
2007319017.tif 000004
【図３】
2007319017.tif 000005
【図４】
2007319017.tif 000006
【図５】
2007319017.tif 000007
【図６】
2007319017.tif 000008
【図７】
2007319017.tif 000009
【図８】
2007319017.tif 000010
【図９】
2007319017.tif 000011
【図１０】
2007319017.tif 000012
【図１１】
2007319017.tif 000013
【図１２】
2007319017.tif 000014
【図１３】
2007319017.tif 000015
【図１４】
2007319017.tif 000016
【図１５】
2007319017.tif 000017
【図１６】
2007319017.tif 000018
【図１７】
2007319017.tif 000019
【図１８】
2007319017.tif 000020
【図１９】
2007319017.tif 000021
【図２０】
2007319017.tif 000022
【図２１】
2007319017.tif 000023
【図２２】
2007319017.tif 000024
【図２３】
2007319017.tif 000025
【図２４】
2007319017.tif 000026
【図２５】
2007319017.tif 000027
【図２６】
2007319017.tif 000028